(57)【要約】分散型エネルギーリソース管理デバイス（ＥＭＤ）のネットワークにおけるリアルタイム通信のための方法およびシステムが説明される。プレゼンスベースのリアルタイム通信は、電気ユーティリティグリッドに接続された少なくとも１つの分散型エネルギーリソース管理デバイス（ＥＭＤ）とネットワークオペレーションセンター（ＮＯＣ）アプリケーションとの間に確立される。一実施形態において、プレゼンスベースのリアルタイム通信は、インスタントメッセージング技術に基づいている。
2011507111.tif 000002
【特許請求の範囲】
【請求項１】
分散型エネルギーリソース管理デバイス（ＥＭＤ）のネットワークにおけるリアルタイム通信の方法であって、該方法は、
電気ユーティリティグリッドに接続された少なくとも１つの分散型エネルギーリソース管理デバイス（ＥＭＤ）と、ネットワークオペレーションセンター（ＮＯＣ）アプリケーションとの間のプレゼンスベースのリアルタイム通信を確立すること
を包含する、方法。
【請求項２】
前記プレゼンスベースのリアルタイム通信は、インスタントメッセージング技術に基づいている、請求項１に記載の方法。
【請求項３】
前記インスタントメッセージング技術は、Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ（ＸＭＰＰ）を用いる、請求項２に記載の方法。
【請求項４】
前記プレゼンスベースのリアルタイム通信は、エネルギー管理通信を含む、請求項１に記載の方法。
【請求項５】
前記エネルギー管理通信は、制御コマンドと、データ取得と、データ報告と、イベント通知と、エネルギー調達と、ＥＭＤ制御コマンドとのうちの少なくとも１つを含む、請求項４に記載の方法。
【請求項６】
ＥＭＤ制御コマンドは、構成変更と、プログラミング更新と、分散型エネルギーリソース（ＤＥＲ）制御コマンドとのうちの少なくとも１つを含む、請求項５に記載の方法。
【請求項７】
前記取得されたデータは、集約され、分析されて、エネルギー使用とコストとの継続的な最適化を容易にする、請求項５に記載の方法。
【請求項８】
前記ＥＭＤは、分散型発電（ＤＧ）デバイスである、請求項１に記載の方法。
【請求項９】
前記少なくとも１つのＥＭＤは、複数のＥＭＤである、請求項１に記載の方法。
【請求項１０】
分散型エネルギーリソース管理デバイス（ＥＭＤ）のネットワークにおけるリアルタイム通信のためのシステムであって、該システムは、
電気ユーティリティグリッドに接続された複数の分散型エネルギーリソース管理デバイス（ＥＭＤ）と、
該複数のＥＭＤとのプレゼンスベースのリアルタイム通信を有するネットワークオペレーションセンター（ＮＯＣ）アプリケーションと
を備えている、システム。
【請求項１１】
前記プレゼンスベースのリアルタイム通信は、インスタントメッセージング技術に基づいている、請求項１０に記載のシステム。
【請求項１２】
前記インスタントメッセージング技術は、Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ（ＸＭＰＰ）を用いる、請求項１１に記載のシステム。
【請求項１３】
前記プレゼンスベースのリアルタイム通信は、エネルギー管理通信を含む、請求項１０に記載のシステム。
【請求項１４】
前記エネルギー管理通信は、制御コマンドと、データ取得と、データ報告と、イベント通知と、エネルギー調達と、ＥＭＤ制御コマンドとのうちの少なくとも１つを含む、請求項１３に記載のシステム。
【請求項１５】
前記取得されたデータは、集約され、分析されて、エネルギー使用とコストとの継続的な最適化を容易にする、請求項１４に記載のシステム。
【請求項１６】
ＥＭＤ制御コマンドは、構成変更と、プログラミング更新と、分散型エネルギーリソース（ＤＥＲ）制御コマンドとのうちの少なくとも１つを含む、請求項１４に記載のシステム。
【請求項１７】
前記ＥＭＤは、分散型発電（ＤＧ）デバイスである、請求項１０に記載のシステム。
【請求項１８】
分散型エネルギーリソース管理デバイス（ＥＭＤ）のネットワークのための通信デバイスであって、該通信デバイスは、
ネットワークオペレーションセンター（ＮＯＣ）アプリケーションとのプレゼンスベースのリアルタイム通信を確立する、電気ユーティリティグリッドに接続された分散型ＥＭＤのネットワークに対するローカル通信クライアントを備えている、通信デバイス。
【請求項１９】
前記プレゼンスベースのリアルタイム通信は、インスタントメッセージング技術に基づいている、請求項１８に記載のデバイス。
【請求項２０】
前記インスタントメッセージング技術は、Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ（ＸＭＰＰ）を用いる、請求項１９に記載のデバイス。
【請求項２１】
前記プレゼンスベースのリアルタイム通信は、エネルギー管理通信を含む、請求項１８に記載のデバイス。
【請求項２２】
前記エネルギー管理通信は、制御コマンドと、データ取得と、データ報告と、イベントの通知と、エネルギー調達と、ＥＭＤ制御コマンドとのうちの少なくとも１つを含む、請求項２１に記載のデバイス。
【請求項２３】
ＥＭＤ制御コマンドは、構成変更と、プログラミング更新と、分散型エネルギーリソース（ＤＥＲ）制御コマンドとのうちの少なくとも１つを含む、請求項２２に記載のデバイス。
【請求項２４】
前記取得されたデータは、集約され、分析されて、エネルギー使用とコストとの継続的な最適化を容易にする、請求項２２に記載のデバイス。
【請求項２５】
前記ＥＭＤは、分散型発電（ＤＧ）デバイスである、請求項１８に記載のシステム。
【発明の詳細な説明】
【技術分野】
【０００１】
（関連出願への相互参照）
本出願は、２００７年１２月１２日に出願された米国仮特許出願第６１／０１３，０７９号に対する優先権を主張し、同出願は、ここで本明細書において参照によってその全体が援用される。
【０００２】
（発明の分野）
本発明は、概して、プレゼンスベースのリアルタイム通信の使用を介して、分散型エネルギーリソース管理デバイス（ＥＭＤ）に対する情報を転送し、処理することに関する。例えば、インスタントメッセージング技術（ＩＭＴ）は、タスク（例えば、ＥＭＤの遠隔構成および更新、データ取得、総エネルギー管理ソリューション（ＴＥＭＳ）システム、ならびに分散型エネルギーリソース（ＤＥＲ）ネットワークにおけるデバイスのコマンドおよび制御）の自動化を容易にする。
【背景技術】
【０００３】
（背景技術）
グリッドオペレーター（ｇｒｉｄ  ｏｐｅｒａｔｏｒ）およびユーティティ（ｕｔｉｌｉｔｙ）からの地域的な停電の通知に応答して（一般的に、需要応答（ＤＲ）と呼ばれる）、分散型発電を効率的に制御する能力と、資産を削減する能力とは、今日のエネルギー市場においてますます重要な役割を演じている。これらの動作を効率的に制御することは、分散型発電とリソース消費との両方の分析を必要とする。これらの処理に関係した産業が直面する最も大きな効率性の課題の一つは、ユーティティとグリッドオペレーターとＥＭＤとの間の遠隔通信に関し、この遠隔通信は、動的なエネルギー使用条件へのリアルタイムの応答を可能にする。リアルタイムの双方向通信は、
・ユーティティおよびグリッドオペレーターがＴＥＭＳサービスプロバイダーと通信し、ＤＲイベントを開始し、終了することを可能にすることと、
・ＴＥＭＳサービスプロバイダーがデータを収集し、ＥＭＤを制御し、サイト構成とＤＲイベントへの参加を容易にすることを可能にすることと、
・ＴＥＭＳサービスプロバイダーがＤＲイベント実行ステータスをユーティティおよびグリッドオペレーターに通信することを可能にすることと、
・ＴＥＭＳサービスプロバイダーがエネルギー効率（ＥＥ）に関する情報を顧客に通信することを可能にすること
を制限なしに含む、複数の目的に役立つ。
【０００４】
ユーティティとグリッドオペレーターとＴＥＭＳサービスプロバイダーとの間の通信、およびＴＥＭＳサービスプロバイダーと遠隔のＥＭＤとの間の通信は、現在、標準化を欠いている。多くのユーティティとグリッドオペレーターとＥＭＤ製造者とは、メッセージおよびデータを通信するために彼ら自身の標準を利用する。さらに、これらの標準は、しばしば、ＴＥＭＳを提供することに伝導性であるという主要な特徴を欠いている。標準化を欠くことと、主要な特徴がないこととは、しばしば、単に新たなＥＭＤをサポートし、そして／または新たなＤＲプログラムに参加するために、ＴＥＭＳサービスプロバイダーが大規模通信に関連したエンジニアリングの努力に着手することを必要とする。加えて、通信標準において特徴を欠くことは、ＴＥＭＳサービスプロバイダーによる、コストが高く技術的に望ましくない態様での特定のサービスの履行が必要となる。
【０００５】
信頼性およびセキュリティもまた、ユーティティとグリッドオペレーターとＴＥＭＳサービスプロバイダーとの間の通信、およびＴＥＭＳサービスプロバイダーと遠隔のＥＭＤとの間の通信に対して、主たる関心事である。ユーティティまたはグリッドオペレーターへの、あるいはユーティティまたはグリッドオペレーターからの、偽のメッセージまたは欠損したメッセージは、ＴＥＭＳサービスプロバイダーに対する大きな処罰を引き起こし得、グリッドに対する損害さえもたらし得る。同様に、ＥＭＤへの、またはＥＭＤからの、偽のメッセージまたは欠損したメッセージは、顧客の機器に損害を与え得るか、または顧客の動作を混乱させ得る。さらに、ユーティティとグリッドオペレーターとＥＭＤとＴＥＭＳサービスプロバイダーとの間で、およびＴＥＭＳサービスプロバイダーと顧客との間で交換される特定のデータは、本来高感度であり、その結果、データの遮断を防ぐために安全な認証要件と暗号化処理とを介して保護されるべきである。
【０００６】
ＴＥＭＳサービスプロバイダーがいかに遠隔のＥＭＤと通信するかに特有な別の問題は、コストと複雑さの観点からの拡張性（ｓｃａｌａｂｉｌｉｔｙ）である。現在、ＥＭＤとＴＥＭＳサービスプロバイダーとの間のコスト効果の高い双方向通信は、頻繁な間隔（例えば、５分以下）で遠隔のＥＭＤをポーリングすることが必要であり、このことは、分散型エネルギーリソース（ＤＥＲ）ネットワークにおけるすべての遠隔のＥＭＤへのインバウンドのアクセスを必要とする。顧客のサイトにおいてＥＭＤに対するインバウンドのアクセスを作成することは、サイトのＩＴ部門と接することを必要とし、サイトのＩＴ部門は、しばしば、第三者のデバイスが彼らのコンピューターネットワーク上で動作させることに気が進まず、このことが、ＥＭＤへの設置を遅らせるか、またはアクセスの代替手段を必要とする（例えば、セルラーゲートウェイであり、セルラーゲートウェイは、追加の設置コストだけでなく、Ｅｔｈｅｒｎｅｔ（登録商標）接続よりも遅く、信頼性の低いワイヤレスサービスの継続的な月額料金をもこうむる）かのいずれかとなり得る。さらに、データ取得をポーリングに依存することは、ＴＥＭＳサービスプロバイダーが利用可能な状態で有しなければならないコストの高い処理インフラストラクチャーと、アルゴリズムの複雑さとを増加させる。加えて、多くのＥＭＤは、ＥＭＤ構成をシリアルおよび／またはＨＴＴＰベースの通信に依存しており、このことは、一部の場合におけるセキュリティ問題をもたらし得、トラブルシューティングと遠隔のＥＭＤの構成およびプログラミングを変更するかまたは更新することとのプロセスに（しばしば、サイト訪問の形式で）複雑さを加える。
【発明の概要】
【課題を解決するための手段】
【０００７】
（発明の概要）
プレゼンスベースのＩＭＴを基に構築された通信フレームワークは、ＴＥＭＳサービスプロバイダーおよびユーティリティ／グリッドオペレーターの通信と拡張性に取り組むだけでなく、信頼できる安全な環境において暗号化されたメッセージを介して、サイト構成、データ収集、デバイス制御、イベント管理、エネルギー管理およびエネルギー調達の、動的でリアルタイムのきわめて効率的かつ自動化されたプロセスを容易にする。結果として、本発明の実施形態は、分散型エネルギーリソース管理デバイス（ＥＭＤ）のネットワークにおけるリアルタイム通信に関する。プレゼンスベースのリアルタイム通信は、電気ユーティリティグリッドに接続された１つ以上の分散型エネルギーリソース管理デバイス（ＥＭＤ）とネットワークオペレーションセンター（ＮＯＣ）アプリケーションとの間に確立される。例えば、プレゼンスベースのリアルタイム通信は、ＥＭＤとＮＯＣとにおいて、インスタントメッセージングクライアント（ＩＭＣ）との、マシンと人間間（Ｍ２Ｈ）通信、人間とマシン間（Ｈ２Ｍ）通信およびマシン間（Ｍ２Ｍ）通信に対して、インスタントメッセージングサーバー（ＩＭＳ）上に実装される安全な暗号化されたメッセージング技術（例えば、Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ（ＸＭＰＰ））に基づき得る。
【０００８】
さらなる実施形態において、プレゼンスベースのリアルタイム通信は、エネルギー管理通信、例えば、制御コマンド、データ取得、データ報告、イベントの通知、エネルギー調達およびＥＭＤ制御コマンドのうちの少なくとも１つを含む。同様に、ＥＭＤは、分散型発電（ＤＧ）デバイスであり得る。
【０００９】
本発明の実施形態はまた、電気ユーティリティグリッドに接続された複数の分散型エネルギーリソース管理デバイス（ＥＭＤ）と、複数のＥＭＤとのプレゼンスベースのリアルタイム通信を有するネットワークオペレーションセンター（ＮＯＣ）アプリケーションとがある上記のうちの任意のものに従った、分散型エネルギーリソース管理デバイス（ＥＭＤ）のネットワークにおけるリアルタイム通信のためのシステムも含む。
【００１０】
実施形態はまた、電気ユーティリティグリッドに接続された分散型ＥＭＤに対するローカル通信クライアントが、ネットワークオペレーションセンター（ＮＯＣ）アプリケーションとのプレゼンスベースのリアルタイム通信を確立する上記のうちの任意のものに従った、分散型エネルギーリソース管理デバイス（ＥＭＤ）のネットワークに対する通信デバイスも含む。
【００１１】
さらなる特定の実施形態において、システムによって取得されるデータは、集約され、分析され得て、特定のタイムスライスにおける複数のサイトと、複数の区分と、複数の組織と、複数の組織の複数のグループとからの電力使用パターン、使用のパターン、負荷バランシングオプションおよび他のシナリオを決定し、エネルギー使用および取得コストの継続的な自動化された最適化を容易にする。
【図面の簡単な説明】
【００１２】
【図１Ａ】図１Ａは、本発明の実施形態に従って、ＴＥＭＳシステムの構成要素間でエネルギー使用情報およびエネルギー管理情報をルーティングする、プレゼンスベースのリアルタイムＩＭＳを例示する。
【図１Ｂ】図１Ｂは、本発明の実施形態に従って、ＴＥＭＳシステムの構成要素間でエネルギー使用情報およびエネルギー管理情報をルーティングする、プレゼンスベースのリアルタイムＩＭＳを例示する。
【図２】図２は、本発明の実施形態に従って、ＤＲイベント中にエネルギー使用情報およびエネルギー管理情報をルーティングする、プレゼンスベースのリアルタイムＩＭＳを例示する。
【図３】図３は、本発明の実施形態に従って、新たなＤＥＲの設置中および既存のＤＥＲのトラブルシューティング中にエネルギー使用情報およびエネルギー管理情報をルーティングする、プレゼンスベースのリアルタイムＩＭＳを例示する。
【発明を実施するための形態】
【００１３】
（具体的な実施形態の詳細な説明）
本明細書で用いられる場合、用語「リアルタイム」は、イベントが起こる時に、動作している間に、機能し、システムおよびプロセスを制御する能力をいう。
【００１４】
本明細書で用いられる場合、インスタントメッセージング技術（ＩＭＴ）は、インスタントメッセージサーバー（ＩＭＳ）を利用する任意のプロトコルまたはインスタントメッセージクライアント（ＩＭＣ）ノードとの通信を提供するＩＭＳクラスターをいう。ＩＭＣは、ＩＭＳとの通信を開始し、アウトバウンド接続へのこの依存は、ＩＭＴが大部分のファイアウォールコンフリクトを回避することを可能にする。ＩＭＣとＩＭＳとの間のメッセージは、伝送の物理的媒体から独立した、きわめて信頼性の高いトランスポートプロトコルを介して、例えば、伝送制御プロトコル（ＴＣＰ）によって送達される。
【００１５】
ＩＭＳはまた、例えば、Ｔｒａｎｓｐｏｒｔ  Ｌａｙｅｒ  Ｓｅｃｕｒｉｔｙ（ＴＬＳ）によって、メッセージ暗号化も提供し得る。ＩＭＳは、登録されたアカウントを有するすべてのＩＭＣに対する認証情報のリストを維持し、ＩＭＳネットワーク上で通信することを望むＩＭＣは、安全な態様（例えば、Ｓｉｍｐｌｅ  Ａｕｔｈｅｎｔｉｆｉｃａｔｉｏｎ  ａｎｄ  Ｓｅｃｕｒｉｔｙ  Ｌａｙｅｒ（ＳＡＳＬ）による態様）で、ＩＭＳに有効な認証情報を提供しなければならない。有効な認証情報のないＩＭＣは、参加を可能にされ得ない。ＩＭＳはまた、登録されたアカウントを有するＩＭＣの利点に関するさまざまなリスト、例えば、
・ＩＭＣネットワークステータス（またはプレゼンス）リストであって、ＩＭＳ上に登録されたアカウントを有するすべてのＩＭＣのメッセージを送信および受信する能力に関する現在のステータス（例えば、オフライン、オンラインまたは離れている）を含む、リストと、
・ＩＭＳ上に登録されたアカウントを有する各ＩＭＣに対するＩＭＣコンタクト（または仲間）リスト（また、ロースターとしても公知である）であって、すべての他のＩＭＣを含み、１つのＩＭＣが加わっている、リストと
を維持し得る。
これらのリストは、ＩＭＳが、ロースターのメンバーに関してプレゼンスにおける変化をＩＭＣに知らせることを可能にする。上記のコア機能は、しばしば、グループチャッティング（または２つ以上のＩＭＣに送達されるメッセージ）、ＩＭＳオフラインメッセージ送達キューおよびファイル転送を含むが、これらに限定されない付加的なプロトコル特徴を実装するために活用される。Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ（ＸＭＰＰ）は、この規定に適合する１つのプロトコルである。ＩＭＴは、典型的には、複数の人間の間でメッセージを交換するために用いられる。
【００１６】
ＩＭＳによる制御可能なメッセージルーティングは、ＩＭＴのさらなる利点であり、ＩＭＳは、ブロードキャストサービスをサポートするために構成され得る。ブロードキャストサービスは、ＩＭＣが（別のＩＭＣノードと反対に）ＩＭＳ上のサービスにメッセージを送信することを可能にする。メッセージの受信の際に、ＩＭＳベースのブロードキャストサービスは、ブロードキャストサービスに加入しているすべての利用可能なＩＭＣアカウントにメッセージを送達する。このことは、単一の書き込みが複数の読者に送信されることを容易にし、すべての関係者への効率的で大規模なメッセージ配信を即座に可能にする。このことは、典型的なインスタントメッセージング配列と異なり、１つのメッセージは、各々の意図されたＩＭＣ受信者に対して、そして、すべての参加者が書き込むことを可能にされているグループチャットから、書かれなければならないことがあり得る。制御する実体のみが読者にメッセージを送信し得るブロードキャストサービスは、ＩＭＣ間で送信されるトラフィックの量を低減し、ロースター管理を単純化する。
【００１７】
図１ＡおよびＢは、プレゼンスベースのＩＭＳ  １０８を例示し、プレゼンスベースのＩＭＳ  １０８は、プレゼンスベースのリアルタイム通信を容易にし、リアルタイム通信は、エネルギー使用情報の配信およびエネルギー管理コマンドに関して、安全で（暗号化され）、遠隔サイト間で双方向である。ＴＥＭＳサービスプロバイダーによって集約されるエネルギー使用情報は、エネルギー管理コマンドを介した利用可能なエネルギーの配分を最適化するために、ＴＥＭＳシステムによって使用可能である。ＩＭＴベースのデータ処理およびＮＯＣ  ＩＭＣアプリケーション１０５が、各サイト１１１および他のＴＥＭＳシステム構成要素において、配信されるＥＭＤ間のＩＭＴプレゼンスベースの双方向のマシン間（Ｍ２Ｍ）通信、マシンと人間間（Ｍ２Ｈ）通信および人間とマシン間（Ｈ２Ｍ）通信を可能にするので、ＩＭＴベースのデータ処理およびＮＯＣ  ＩＭＣアプリケーション１０５は、エネルギー使用情報の集約に対してきわめて重要である。情報は、さまざまなサイト、例えば、ユーティリティ／グリッドオペレーターのディスパッチ１０９、計測または監視制御ＥＭＤ  １１１、任意の他のフィールドサービスの位置１１２、あるいは他のエネルギーを作るか、消費するか、または分配する、ここに挙げられていないサイトから収集され得る。集約された情報は、イベントの通知および制御コマンドを発し、データ取得を促進するために、そしてＥＭＤ構成を更新するために、ＴＥＭＳシステムネットワーク監視および管理アプリケーション、例えば、ＰｏｗｅｒＴｒａｋ  １０１、ならびにＤＲイベント管理者およびエネルギーアナリスト人員１０２によって分析され、点検される。集約された情報は、特定のエネルギー供給者自身または消費者自身あるいは他の者によるエネルギー使用の点検または分析のために、特定のエネルギー供給者または消費者によってアクセス可能な企業データベースサーバー１０３上で使用されるように提供され、ＴＥＭＳ  ＩＭＴベースのコミュニケーションネットワークの外の情報のさらなる再配信のために、１人以上のコンテンツ発行者１０４に発行され得る。挙げられた以外のサイトにおける特定の人員１０７は、また、エネルギー使用情報を取り出し得、デバイス１０６、例えば、モバイル電話、コンピューター、またはインターネットを介してＩＭＳ  １０８へのアクセスを有する他のワイヤレスデバイスを介して、エネルギー管理コマンドを発し得る。図１ＡおよびＢにさらに例示されるように、集約されたエネルギー使用情報は、また、金融サイト１１０によって利用され得、エネルギー購入を容易にし、概して、あるサイトがエネルギーリソースを作るか、用いるか、または分配するかをいかにして選ぶかを決定する。
【００１８】
ＮＯＣ  ＩＭＣプレゼンスベースのアプリケーション１０５の土台は、ＩＭＴから構成され得る。Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ（ＸＭＰＰ）は、安全で、リアルタイムに近い、拡張可能なインスタントメッセージングおよびプレゼンス情報のために、オープンなＸＭＬベースのプロトコルを提供する。ＸＭＰＰは、それが以前に規定された基準を満たすので、概して、例えばＪａｂｂｅｒのようなクライアントにメッセージを送る際に用いられ、本発明の通信フレームワーク内での使用に適用可能である。ＸＭＰＰに関するこれ以上の情報は、ｈｔｔｐ：／／ｘｍｐｐ．ｏｒｇ／において見出され得る。Ｊａｂｂｅｒは、ＸＭＰＰを用いる１つのアプリケーションの一例であり、このプロトコルを用いる多くの他のプリケーションがある。加えて、プロプラエタリープロトコルを含む、ＩＭＴ規定を満たす他のプロトコルが、望まれるネットワークを実現するために、ＮＯＣ  ＩＭＣプレゼンスベースのアプリケーション１０５において必要とされる通信能力を提供するように、用いられ得るか、作成され得るか、または構成され得る。ＩＭＴを用いることは、本発明が既存の容易に利用可能なインターネットネットワーク／イントラネットネットワークを利用することを可能にする。ＩＭＴの使用、特にプレゼンスメッセージおよびＩＭＳに維持されたプレゼンスおよびロースターのリスト（ブロードキャストサービスを含む）は、ＴＥＭＳサービスプロバイダーが、どのＤＥＲがＤＲイベントに参加するのに利用可能であるかリアルタイムで決定するために、ＮＯＣ  ＩＭＣアプリケーションを動作させることを可能にする。マシンは、典型的には、ＩＭＴプロトコル内のデータ標準と呼ばれる規定された言語を用いたネットワークを介して、データを通信する。本発明の一実施形態によって利用されるメッセージデータ標準は、メッセージが人間とマシンの両方によって解され得るが、他の特定の実施形態においては解され得ないように規定された厳格な規則を有する。従来は、このデータ標準は、存在せず、すべてのメッセージは、１人のＩＭＣユーザーが入り、含まれたメッセージのマシンによる理解を容易にする構造的な規則を有していない、その場限りの構造化されていないメッセージである。ＸＭＰＰプロトコル自体における、そしてＸＭＰＰプロトコル自体のＸＭＰＰプロトコルは、単なるプロトコル規定にすぎず、このプロトコル規定は、インターネットを介した標準化されたメッセージの転送を容易にするように実装され得る。
【００１９】
プレゼンスベースのＩＭＴを通信フレームワークとして用いることは、フレームワークの通信構成要素が他のＴＥＭＳシステム構成要素１０１〜１０４から分離されたままの状態に置かれるか、または取り去られたままの状態にすることを可能にする。分離した通信アプリケーションとして作用するＩＭＳまたはＩＭＳクラスター１０８があり、他のＴＥＭＳシステムは、通信ハブとして機能しない。このことは、ＴＥＭＳアプリケーションにすべてのＴＥＭＳシステム構成要素間に望ましい共通のインターフェースを提供する。プレゼンスネットワークを介したＴＥＭＳアプリケーションのエネルギー使用および管理の通信は、この説明においてＰｏｗｅｒＴａｌｋと呼ばれ得る。
【００２０】
ＩＭＴは、ＤＥＲの最適管理に有利であり、ＤＥＲは、デバイスとの定期的な間隔（概して５分以下）での安全な通信を必要とする。最適管理はまた、あるサイトからのイベントとイベントの情報とに関する暗号化されたメッセージを受信する能力、およびそのメッセージの受信を確認する能力の両方を必要とし、このことは、説明されたプレゼンスベースのＩＭＴによってリアルタイムの速度で達成され得る。さらに、プレゼンスベースのＩＭＴによって提供される通信フレームワークは、ＩＭＳアカウントを有する各関係者が、図１ＡおよびＢに例示されるように、ＩＭＳアカウントを有する他の関係者のステータスをリアルタイムで知ることを可能にする。本発明において、プレゼンス情報は、可能性のある通信パートナーがＤＥＲを提供するためにメッセージを受信し、処理する能力および意欲を伝達する動作可能なネットワークステータスインジケーターである。ＤＥＲを提供する通信パートナーの能力および意欲についての知識を介して、ＮＯＣは、所与のエネルギーネットワーク上でどんな容量が利用可能かをリアルタイムで決定し得る。ＮＯＣは、利用可能なＤＥＲをリアルタイムで識別し得、それらのＤＥＲの容量をディスパッチする。プレゼンス情報はまた、発行可能であり、サイトのパフォーマンス点検および顧客フィードバックのために用いられ得、このことは、さらに接続性の問題を決定するＮＯＣオペレーター１０２に対する負荷を除去し得る。発行されたプレゼンス情報はまた、分散型システムに広い自己監視を可能にし、そのことによって、自己治癒性能を有する適応可能なシステムを提供する。集約された資産におけるプレゼンス情報は、グループまたはサブグループの「全体的」プレゼンスを与えるために提供され得る。集約されたプレゼンスデータは、部分的なリソース利用可能性のリアルタイムの決定を可能にする。何が／誰がオンラインであり、彼らがどんなＤＥＲを監視しているか、そして／または制御しているかの知識を介して、不正な行為または非協力的なサイトを積極的に阻止することは、また、本発明に関してＩＭＴプレゼンスベースの通信にさらなるセキュリティと信頼性を加えるように実装され得る。
【００２１】
本発明の特定の実施形態によって提供される通信フレームワークは、タイムスライスおよび時間の小区分におけるエネルギー使用パターンおよび使用のタイプを示す記録が作成され、保存されることを可能にし、タイムスライスおよび時間の小区分は、代替の使用分析と、新しい価格決定方法の比較と、継続ベースでの機会を容易にする。ＮＯＣのようなエネルギーネットワーク管理および監視システムは、エネルギー配分に対する代替のアプローチを識別する記録を用い得、代替のアプローチは、コスト節約と代替の使用と供給業者の機会とをもたらし得、そのことによって、ＤＥＲ電力生産、例えばローカル発電に対する代替の機会を広げ、ローカル発電は、一次的供給フローを高め、ローカル発電性能を確立し、ローカル発電性能は、使用をピークの使用パターンと組織または施設の中の負荷バランスとよりも低く管理し得、リアルタイムで安全に適用され得る。複数のサイトと、複数の区分と、複数の組織と、複数の組織の複数のグループとからの電力使用パターンの集約は、電力使用統計、タイムスライス、使用のパターン、負荷バランシングオプションおよびその他のデータを提供する。集められた情報は、エネルギー管理ツールを介して、電力エネルギーの購入および配分に対する可能性のあるオプションまたは代替案を明らかにする点検および分析を容易にする、効率的な集約、区分分け、再組織、時間シフト、および他の情報の分析フォーマット化を可能にする、共通のデータ分析フォーマットを提供され得る。分析の効率的なモードは、集中型メッセージングサーバー（ｓｅｖｅｒ）を用いるアプリケーションから分離した集中型メッセージングサーバーに起因する。各々の分離したアプリケーションは、そのデータにそれ自体のやり方でログインすることを選び得る。しかしながら、集中型メッセージルーターがあるので、メッセージを生成するアプリケーションまたはデバイスにかかわらず、すべてのメッセージを監査する能力がある。このことは、厳格な監査規則への適合を可能にし得る。
【００２２】
図２は、１つのシナリオの一例を描き、このシナリオにおいて説明されるシステムは、通常の条件下でのエネルギー使用情報を集約するとともに、各エネルギー使用情報と各エネルギー管理情報とに対してメッセージルーターとして作用するプレゼンスベースのＩＭＳ  １０８によってきわめて自動化されたＤＲイベントを処理するように用いられ得る。公称のエネルギー使用条件下で、エネルギー使用情報（ＩＮＴ  ＤＡＴ  １およびＩＮＴ  ＤＡＴ  ２）は、遠隔ＤＥＲサイト１１１におけるＥＭＤから、ＮＯＣ  ＩＭＣプレゼンスベースのアプリケーション１０５、企業データベースサーバー１０３、コンテンツ発行者１０４および金融サイト１１０を含むＴＥＭＳシステムのさまざまな構成要素にプッシュされる。ブロードキャストサービスの使用は、単一の書き込みがすべての意図された読み手にメッセージを送達するために用いられることを可能にすること、例えば、ＤＥＲからＩＭＳ上の特定のブロードキャストサービスへの単一のＩＮＴ  ＤＡＴメッセージは、ＩＭＳがそのメッセージを複数のターゲットに送達することをもたらし得ることに留意されたい。ＤＲイベントは、ユーティリティまたはグリッドオペレーターのディスパッチクライアント１０９から、通知メッセージ２０１によって開始され得、ユーティリティまたはグリッドオペレーターのディスパッチクライアント１０９は、イベントパラメーターを提供する。ユーティリティまたはグリッドオペレーターのディスパッチからのメッセージあるいはユーティリティまたはグリッドオペレーターのディスパッチへのすべてのメッセージは、ＩＭＴを利用して送信され得ることもあれば、送信されないこともあり得ることに留意されたい。メッセージは、ＩＭＳ  １０８によって、ネットワーク管理および監視アプリケーション１０１、ＤＲイベント管理者およびエネルギーアナリスト１０２、および他の人員１０７を含む、ＴＥＭＳシステムのさまざまな構成要素に配布される。通知の受信は、特定のエネルギー管理コマンド２０２を自動的にトリガーし、イベントパラメーターに基づいて決定され、ネットワーク管理および監視アプリケーション１０１からＩＭＳ  １０８を介して遠隔ＤＥＲサイトにおける特定のＥＭＤに発せられる。ＥＭＤによるエネルギー管理コマンドの受信は、コマンドによって特定されるどんな作用も自動的にトリガーする。例えば、ＤＥＲサイト１に送信されたエネルギー管理コマンド２０２は、そのサイトにおいて発電機をオンにするようにＥＭＤをプロンプトし得、一方、ＤＥＲサイト２に送信されたエネルギー管理コマンド２０２は、空気調和ユニットをオフにするようにＥＭＤをプロンプトし得る。いったんＥＭＤが特定のエネルギー管理コマンドを実行すると、性能の問題を識別するために、作用が確認され得るか、または不当性を証明され得るように、ＥＭＤは、しばしばエネルギー使用情報を含む対応する応答メッセージ２０３を、ネットワーク管理および監視アプリケーション１０１、ＮＯＣ  ＩＭＣプレゼンスベースのアプリケーション１０５、ＤＲイベント管理者およびエネルギーアナリスト１０２、および他の人員１０７を含む、ＴＥＭＳシステムのさまざまな構成要素に送信する。例えば、ＤＥＲサイ���１におけるＥＭＤから送信されたエネルギーイベントコマンド応答２０３は、そのサイトにおいて作動される発電機の現在の出力を示し得、一方、ＤＥＲサイト２におけるＥＭＤから送信されたエネルギーイベントコマンド応答２０３は、空気調和ユニットがオフにされた状態でのそのサイトに関する現在の使用を示し得る。さらなる通知２０４は、変化の信号を送るユーティリティまたはグリッドオペレーターのディスパッチャー１０９から、既存のイベントまたはコールの付加的なイベントのパラメーターに送信され得る。以前の通知については、通知の受信は、特定のエネルギー管理コマンド２０５を自動的にトリガーし、このことは、通知パラメーターに基づいて決定され、遠隔ＤＥＲサイト１１１におけるネットワーク管理および監視アプリケーション１０１からＩＭＳ  １０８を介して発せられる。ＥＭＤによるエネルギー管理コマンドの受信は、どんな作用がコマンドによって特定化されても自動的にトリガーする。いったんＥＭＤが特定のエネルギー管理コマンドを実行すると、ＥＭＤは、しばしばエネルギー使用情報を含む応答メッセージ２０６をＴＥＭＳシステムのさまざまな構成要素に送信する。メッセージ２０６が送信され得るさまざまな構成要素は、ネットワーク管理および監視アプリケーション１０１、ＮＯＣ  ＩＭＣプレゼンスベースのアプリケーション１０５、ＤＲイベント管理者およびエネルギーアナリスト１０２、および他の人員１０７を含む。したがって、パフォーマンスの問題を識別するために、作用が確認され得るか、または不当性を証明され得る。
【００２３】
図３は、１つの動作シナリオの一例を描き、そのシナリオの中で、説明されるシステムは、エネルギー使用情報に対するメッセージルーターとして作用するプレゼンスベースのＩＭＳ  １０８による、きわめて自動化されたＤＥＲインストレーションおよびトラブルシューティングのために、エネルギー使用情報を作成し、制御するために用いられ得る。新たなエネルギー使用情報は、サイトの技術者１１２がＴＥＭＳシステムに参加することを望む新たなＤＥＲサイトを訪れるときに作成される。技術者は、埋め込み型ＩＭＣを有するＥＭＤをインターネットと、任意の望まれるリアルタイム計測とに単純に接続し、エネルギーリソースを負荷制限（ｓｈｅｄ）し得る。ＥＭＤが電力供給されるとき、ＥＭＤは、ＩＭＳ  １０８に安全で暗号化された接続３０１を行い、ＩＭＳ  １０８を介して、アカウントの認証情報が検証される。この接続がＥＭＤから開始され、したがってアウトバウンドであるので、ファイアウォールの背後のネットワーク上のＥＭＤでさえも、この接続を行うことが可能であるべきである。この接続手続きは、ＴＥＭＳシステムが遠隔の分配されたエネルギーリソースと通信することを可能にするファイアウォール構成の変更のために、技術者が顧客のＩＴ部門と協働することを必要としない、付加的な利益を有する。次に、ロースターとブロードキャストサービスの追加とプレゼンスの加入３０２および３０３とが、それぞれ、ＥＭＤとＩＭＳ  １０８とＮＯＣプレゼンスのＩＭＣベースのアプリケーションとＥＭＤ  １０５との間で交換される。いったんこれらのサーバーに維持されたリストが関係するＩＭＣによって更新されると、サイトに対する適切なＥＭＤ構成３０４は、自動的に決定され、ネットワーク管理および監視アプリケーション１０１からＥＭＤへ、しばしば一組のファイルとして、ＩＭＳ  １０８を介して伝送される。構成に従って、ＥＭＤは、ＥＭＤがエネルギー使用情報を送信する用意ができていることを示すプレゼンスメッセージ３０５を送信し、ＩＭＳ  １０８へのエネルギー管理コマンドを受信し、次いで、ＩＭＳ  １０８は、このステータスをＥＭＤのプレゼンスに加入しているすべてのメンバーに、メッセージ３０２および３０３によってブロードキャストする。最後に、新たに追加されたＤＥＲサイトにおけるＥＭＤは、エネルギー使用情報（ＩＮＴ  ＤＡＴ  Ｎ）、例えば、データストリームおよびデータチャネルを、さまざまなＴＥＭＳシステム構成要素、例えば、ＮＯＣ  ＩＭＣベースのアプリケーション１０５、ネットワーク管理および監視アプリケーション１０１、企業データベースサーバー１０３およびコンテンツ発行者１０４に、ＩＭＳ  １０８を介して定期的な間隔でプッシュし始める。このエネルギー使用情報は、さまざまなＴＥＭＳシステム構成要素、例えば、ＮＯＣ  ＩＭＣベースのアプリケーション１０５およびネットワーク管理および監視アプリケーション１０１によって自動的に監視され、適正なサイト構成とデータの質とを確実にする。この間に、近くのＤＥＲサイトにおいて以前にインストールされたＥＭＤは、問題を抱え始める。通常のエネルギー使用間隔のデータは、１つの見込まれるデータ（ＩＮＴ  ＤＡＴ  Ｐ３）を欠いているメッセージが最終的に受信されるまで、ＥＭＤからＴＥＭＳシステム（ＩＮＴ  ＤＡＴ  ＰｌおよびＩＮＴ  ＤＡＴ  Ｐ２）へプッシュされている。ネットワーク管理および監視アプリケーション１０１が自動的にこの誤りを検出し、欠けているデータを違反しているＥＭＤに要求するエネルギー管理コマンド３０６を発する。エネルギー管理コマンドの受信は、ＥＭＤが欠けているデータ３０７を探し、さまざまなＴＥＭＳシステム構成要素に伝送するようにプロンプトする。不運なことに、このサイトにおける問題は、より深刻になり、分散されたＥＭＤから送信された次のメッセージ３０８は、デバイスがもはやオンラインでなく、したがって、もはやエネルギー使用データを伝送し得ないか、またはエネルギー管理コマンドを受信し得ないことを示すプレゼンスメッセージである。次いで、ＤＲイベント管理者およびエネルギーアナリスト１０２によっていったん受信されたこのメッセージ３０９は、近くのサイト技術者に中継され、彼／彼女に問題について知らせ得る。次いで、技術者は、そのサイトに向かい得る。最後に、ＮＯＣ人員は、問題サイトにおける誰かに、問題をトラブルシューティングするために技術者が派遣されたことを知らせる。ＤＥＲサイトにおけるＥＭＤからのプレゼンスメッセージは、また、ユーティリティおよびグリッドオペレーターのディスパッチに伝送され得、ユーティリティおよびグリッドオペレーターのディスパッチに、ＴＥＭＳシステムが発生させ得る、そして／または削減し得るエネルギーの量に対する変化について、ほとんどリアルタイムで知らせることに留意されたい。
【００２４】
本発明において用いられるプレゼンスベースのＮＯＣ  ＩＭＣアプリケーションは、分散されたＥＭＤのネットワークがインターネット上で作成されることを可能にする。プレゼンスＩＭＴを活用することは、ＤＲおよびＴＥＭＳデバイスとＮＯＣとの効率的な通信を有効にし、すべての参加者が所与のエネルギーネットワークにおける変化に動的に反応することを可能にする。ネットワークの中で、ＩＭＣは、そのＩＭＣが加入し、したがって情報がそれに基づいて作用され得る他の複数のＩＭＣのネットワークステータスに変化が起こるときはいつでも、ＩＭＳがＩＭＣに知らせるように、他の複数のＩＭＣのプレゼンスに加入することを可能にされ得る。例えば、ＮＯＣは、ＮＯＣが管理するすべてのＥＭＤのプレゼンスに加入し、その結果、ＮＯＣは、ＴＥＭＳシステムにおけるすべてのＥＭＤおよびＤＥＲのネットワークステータスをつねにリアルタイムで知っている。より重要なことに、ＮＯＣは、グリッドオペレーターまたはユーティリティのネットワークステータスを知っている。グリッドオペレーターまたはユーティリティがＩＭＴプレゼンスベースのＩＭＣアプリケーションを、ＤＲイベントを信号で送る一次的手段として用いる場合には、ＮＯＣは、通信の中断が起こらないように、有効な接続がグリッドオペレーターまたはユーティリティに対して利用可能であるか否かをつねに知っている。逆に、グリッドオペレーターまたはユーティリティは、また、ＮＯＣおよび／または特定のＤＥＲのネットワークステータスも知り得る。このＩＭＳに制御される双方向プレゼンスの加入を介して、ＮＯＣ接続またはグリッド／ユーティリティオペレーターＩＭＣ接続のいずれかの損失は、修正される必要があり、ＤＲイベントが中断されずに続くことを可能にする必要があるその問題についてもう一方の関係者に通知し、二次的な通信手段が用いられ得るように、両方の関係者にほとんど即座に知られ得る。
【００２５】
ＩＭＣステータスがオフラインであることを示すように変更される場合、例えば、ＮＯＣが予定された保守のために停止され、別のＩＭＣがそのＩＭＣにメッセージを送信する必要があるとき、そのメッセージは失われず、その代わり、そのメッセージは、ＩＭＳ上で待ち行列に入れられ、受信者がＩＭＳに戻ってログインする次の回に送達され得る。全体としてのＴＥＭＳシステムはオフラインであり得るが、この特徴によって、ＥＭＤは、あたかもすべてが正常に動作しているかのように、間隔データをいつものように送信し続け得る。このことが非常に価値がある場合の別の例は、ＤＲイベントの途中である。ＮＯＣがＥＭＤを制御しようとしていたときにたまたま起こった一次的なネットワーク問題に起因して、ＥＭＤがあるイベントの開始の直前または開始の途中にたまたま接続を失った場合には、サイトがイベントの残りの持続時間の間に見込まれたようにまだ機能し得るように、制御メッセージは、ＩＭＳによって待ち行列に入れられ、ＥＭＤがオンラインに戻った直後に送達され得る。本発明の一部の実施形態において、これらの格納されたメッセージは、また、システム設定に基づいて除去され得る。
【００２６】
プレゼンスベースのＩＭＴネットワークを介して、ＮＯＣによって用いられるエネルギーネットワーク監視および管理アプリケーションは、（ＥＭＤ構成／プログラミング更新を含む）エネルギー使用コマンドを発すること、遠隔分散型エネルギーデバイスを制御すること、エネルギー使用情報を収集すること、その情報を分析すること、やがて起こるイベントについてユーザーに通知すること、エネルギーの配分および比率を比較すること、エネルギーの配分を反復すること、エネルギーのオークションおよび入札を容易にすること、それらの入札を分析すること、およびエネルギーの購入または販売を実行することができる。
【００２７】
本発明は、ユーティリティ、グリッドオペレーター、エネルギーの消費者または消費者グループが、通信し、情報を集約し、その情報を分析し、エネルギー配分を最適化することを可能にする。そのような管理および最適化は、ユーザーがこれらの複雑な特徴を検査し得るフォーマットで、ユーザーに提示され得る。加えて、エネルギー使用を最適化し、コストを下げることへの他のアプローチが、例えば、エネルギーオークションを含む提案される発明を介して容易にされ得る。
【００２８】
本発明の特定の実施形態は、インターネット、電力グリッドネットワーク、ワイヤレスネットワーク、通信電力計、遠隔計測、データ格納、マシン制御および他の技術的進歩と発展とを含むネットワークの利用可能性を利用し、自動的または半自動的なエネルギーの調達における性能を含む代替の管理オプションと代替の購入機会とを組み合わせ、組み合わせのエネルギー使用統計は、最適な全体的エネルギー供給業者契約を識別し、確保するために用いられ、供給業者は、上記および他の性能のうちの任意のものが最適かつ最も利益率の高い供給をも識別することと、取得の組み合わせが市場における各要素のために、そして市場全体のために、エネルギーの分析と、販売および購入と、使用とを最適化することとをもたらす。
【００２９】
実施形態は、ユーティリティ、グリッドオペレーター、エネルギー提供者および消費者が、価格、使用時間のエネルギーパターン、およびエネルギーの組み合わせの比較と分析的比較とに基づく代替のエネルギー供給源の即時切り換えを可能にする複数の燃料価格決定モデルをほとんど即座に通信することをさらに可能にし、最適な動作コストをもたらす。インテリジェントな計測性能と通信性能（例えば、ＩＭＴベースのプレゼンス）とによってもたらされる新たな性能は、複数のユーザーが単なる標準的なインターネットによってネットワーク上でサービスとリソースとを共有することを可能にする。ネットワーク上の任意の位置におけるリソースおよびＤＥＲへのファイアウォールと調和したアクセスは、デバイス、ソフトウェアおよびユーザーのネットワークを構築し、保守し、変更するタスクを単純化する。電力システム、計測器における、そしてエネルギー消費デバイスおよびシステムにおけるデバイスレベルの知能ならびに埋め込み制御性能および遠隔計測性能が可能にされ、それによって、これらのデバイスが特定の時刻に特定の条件に応答して所定の行為を実行することを可能にする。これらのデバイスは、必要に応じてＰｏｗｅｒＴａｌｋを介してネットワーク上のデバイスの性質を変えるように構成され、プログラムされ、修正され得、結果として、動作が、報告、ネットワーク管理、およびエネルギー市場（規制市場であれ、規制緩和市場であれ）における機会を最適化するプラットフォームを越えた独立性（すなわち、共通のコンピューティングプラットフォーム）に対して組織され、最適化されるインテリジェントネットワークを創設する。実施形態はまた、直接接続を容易にし、顧客および供給業者にリアルタイムのエネルギー情報および重大なデバイス性能パラメーターへのアクセスを提供する。
【００３０】
本発明の実施形態は、データ収集システムを提供し得、データ収集システムは、以下の要素、すなわち、エネルギー計測、徐々にリアルタイムに近づく使用間隔の時間、例えば位置、区分、請求書作成コード、使用のタイプなどのセクター識別データおよび階層的データ、過去の供給業者の識別、ならびに反復的組み合わせとこれらのデータの組み合わせとを可能にするデータの格納のうちの１つ以上を組み込む。そのような組み合わせは、エネルギーの取得または販売のための入札を理解し、分析し、創設するために、そして、取得されたデータを用いて強化された組み合わせの比較と分析的比較とを提供するために、調査、視覚化、反復、最適化、ｗｈａｔ−ｉｆシナリオ分析、および記録すべきデータの他の操作を提供し、取得コストを最適化して、普通は格納されないエネルギー使用データを取得し、格納し、集約するか、あるいは、格納される場合には、計測デバイスまたは使用システム上に格納され、情報がコンピューターにダウンロードされ、ほとんどリアルタイムでまたは後の時間に評価され得るように、使用パターンを最適化するために、例えば、ピーク使用時間帯に必須でない機器をシャットダウンし、特定の使用パラメーターの下にあるようにするために、エネルギー測定デバイスのネットワーク接続を可能にし、エネルギー消費デバイスの制御を可能にする。
【００３１】
実施形態はまた、エネルギー使用および取得コストを最適化するために、エネルギー使用データを収集し、分析し、グループ分けし、再組織し、最適化し、メッセージを送り、通知し、調達する自動化された方法を提供し得る。このことはまた、時間枠および物理的位置に拠るエネルギー使用の収集および組織化を支援し、それによって、反復、再構成、視覚化、サブグループ分類、負荷バランシング、および使用を最適化して、コストを下げる他のアプローチを可能にする。
【００３２】
上記は、ＮＯＣまたは制御、収集などの集中点に基づく配列の観点から議論を提供しているが、このことは、分散型プロトコルが設備の分散型管理をサポートするので必要とされない。例えば、電気ユーティリティグリッドは、ＮＯＣを介してすべてのコマンドをプロキシし得るか、または直接コマンドをＥＭＤに送信し得る。同様に、ＥＭＤは、エネルギー使用データを制御の集中点に、または複数の分散した非集中的データ処理アプリケーションおよびネットワーク制御アプリケーションに送信し得る。
【００３３】
本発明の実施形態は、また、任意の従来のコンピュータープログラミング言語で実装され得る。例えば、好ましい実施形態は、手続きプログラミング言語（例えば、「Ｃ」）またはオブジェクト指向プログラミング言語（例えば、「Ｃ＋＋」、Ｐｙｔｈｏｎ、Ｊａｖａ（登録商標））で実装され得る。本発明の代替の実施形態は、予めプログラムされたハードウェアまたは埋め込み型ハードウェア要素、他の関係する構成要素として、あるいはハードウェア構成要素およびソフトウェア構成要素の組み合わせとして実装され得る。
【００３４】
実施形態は、コンピューターシステムと使用されるコンピュータープログラム製品として実装され得る。そのような実装は、有体の媒体、例えば、コンピューター読み取り可能媒体（例えば、ディスケット、ＣＤ−ＲＯＭ、ＲＯＭまたは固定ディスク）上に固定されるか、あるいはモデムまたは他のインターフェースデバイス、例えば、媒体を介してネットワークに接続される通信アダプターを介してコンピューターシステムに伝送可能であるかのいずれかである、一連のコンピューター命令を含み得る。その媒体は、有体の媒体（例えば、光学通信ラインまたはアナログ通信ライン）あるいはワイヤレス技術（例えば、マイクロ波技術、赤外線技術または他の伝送技術）によって実装された媒体のいずれかであり得る。一連のコンピューター命令は、システムに関して本明細書で上述の機能のすべてまたは一部を実施する。当業者は、そのようなコンピューター命令が、多くのコンピューターアーキテクチャー、オペレーティングシステム、またはＩＭＴおよびデータプロトコルと使用される複数のプログラミング言語で書かれ得ることを認識するべきである。さらに、そのような命令は、任意のメモリーデバイス、例えば、半導体、磁気メモリーデバイス、光学メモリーデバイスまたは他のメモリーデバイスに格納され得、任意の通信技術、例えば、光学伝送技術、赤外線伝送技術、マイクロ波伝送技術または他の伝送技術を用いて伝送され得る。そのようなコンピュータープログラム製品は、添付の印刷されたドキュメンテーションまたは電子ドキュメンテーション（例えば、収縮ラッピングソフトウェア（ｓｈｒｉｎｋ  ｗｒａｐｐｅｄ  ｓｏｆｔｗａｒｅ））を有する取り外し可能な媒体として配信され得るか、コンピューターシステムに予め組み込まれ得る（例えば、システムＲＯＭまたは固定ディスク上に）か、あるいはネットワーク（例えば、インターネットまたはＷｏｒｌｄ  Ｗｉｄｅ  Ｗｅｂ）上のサーバーまたは電子掲示板から配信され得ることが見込まれる。もちろん、本発明の一部の実施形態は、ソフトウェア（例えば、コンピュータープログラム製品）およびハードウェアの両方の組み合わせとして実装され得る。本発明のさらに他の実施形態が、完全にハードウェアとして、または完全にソフトウェアとして、または埋め込み型ソフトウェア（例えば、コンピュータープログラム製品）として実装され得る。
【００３５】
本発明のさまざまな例示的実施形態が開示されているが、本発明の真の範囲から逸脱することなしに、本発明の利点の一部を達成するさまざまな変更および修正が行われ得ることは、当業者に明白である。
【図２】
2011507111.tif 000003
【図３】
2011507111.tif 000004
【図１Ａ】
2011507111.tif 000005
【図１Ｂ】
2011507111.tif 000006
【国際調査報告】
2011507111.tif 000007
2011507111.tif 000008
2011507111.tif 000009